(57)【要約】【課題】治具を安価かつ簡易な構成で着脱可能に土間に設置可能なアンカ部材を提供する。【解決手段】アンカ部材２０は、土間に埋め込まれ、治具を着脱可能に固定するアンカ部材であって、上端側の開口が土間の表面に露出する状態で縦向けに埋設される複数の高ナット２１と、複数の高ナットの下端側に螺入される第一ボルト２４と、前記複数の高ナットの上端側に螺入される第二ボルト２６と、複数の高ナットを並列させた状態で連結するよう、複数の高ナットの下端側において第一ボルトにより固定される第一プレート２２と、複数の高ナットを連結するとともに、複数の高ナットの上端側において第二ボルトにより着脱可能に固定される第二プレート２３と、を有する。【選択図】図１
2020165232.tif 000002
【特許請求の範囲】
【請求項１】
土間に埋め込まれ、治具を着脱可能に固定するアンカ部材であって、
上端側の開口が土間の表面に露出する状態で縦向けに埋設される複数の高ナットと、
前記複数の高ナットの下端側に螺入される第一ボルトと、
前記複数の高ナットの上端側に螺入される第二ボルトと、
前記複数の高ナットを並列させた状態で連結するよう、前記複数の高ナットの下端側において前記第一ボルトにより固定される第一プレートと、
前記複数の高ナットを連結するとともに、前記複数の高ナットの上端側において前記第二ボルトにより着脱可能に固定される第二プレートと、
を有することを特徴とするアンカ部材。
【請求項２】
前記高ナットと前記第一プレートとの間に設けられ、前記第一プレートに前記第一ボルトを固定するための固定用ナットを備え、
前記第一ボルトに前記高ナットを螺入する長さにより、前記第一ボルトの頭部から前記第二プレートまでの高さを調整することを特徴とする請求項１に記載のアンカ部材。
【請求項３】
前記第二プレートの上面に目印が付けられていることを特徴とする請求項１又は２に記載のアンカ部材。
【請求項４】
請求項１から３のいずれか一項に記載のアンカ部材を用いて治具を土間に設置する設置方法であって、
土間コンクリートを打設した後、硬化前に、前記高ナットの上端側の開口が土間の表面に露出する状態で前記アンカ部材を土間コンクリートに埋め込むことと、
土間コンクリートが硬化した後、前記第二プレート及び前記第二ボルトを取り外し土間の表面に露出した前記アンカ部材の上端側の開口を利用して前記治具を取り付けることと、
を含むことを特徴とする設置方法。
【発明の詳細な説明】
【技術分野】
【０００１】
本発明は、アンカ部材及びアンカ部材を用いた治具の設置方法に係り、特に土間に設置されるアンカ部材、及び、アンカ部材を用いて治具を土間に設置する設置方法に関する。
【背景技術】
【０００２】
建造物を建築する際には、各種作業を行うために足場が組まれる。このとき、昨今では、安全性を考慮して、先行足場が組まれることが多い。先行足場とは、建造物を建てる前に組まれる足場であり、この足場を利用して作業を行う。このような先行足場を組む方法として様々な方法が提案されている。
【０００３】
特許文献１には、狭小地に先行足場を立設する際に、控えの角度調整及び位置調整を行う倒壊防止治具（足場内控えとも呼ばれる）が開示されている。特許文献１に記載の倒壊防止治具は、基礎となる構造体に固定されるベース部と、ベース部に対して角度調整可能となるように、ベース部に取り付けられたアーム部と、アーム部に固定されるとともに、長尺部材を把持可能なクランプと、を備える。そして、ベース部には設置位置調整を可能とするための複数のボルト孔が、アーム部からの荷重集中地点から等距離に形成されている。
【先行技術文献】
【特許文献】
【０００４】
【特許文献１】特開２０１６−３７７９９号公報
【発明の概要】
【発明が解決しようとする課題】
【０００５】
特許文献１に記載されるような倒壊防止治具は、ベース部が躯体用のアンカに接合されるか、基礎にホールインアンカを形成して接合されてきた。しかしながら、躯体用のアンカに接合すると、建方開始時に躯体用のアンカから倒壊防止治具を取り外さなくてはならなかった。また、ホールインアンカはその作製に時間と手間がかかるため施工時の負荷が大きいという課題があった。
【０００６】
また、鉄骨造又は鉄骨鉄筋コンクリート造等の建物を建てる際、鉄骨柱の鉛直度の精度を確保するため、建て方後に梁や柱などの倒れ、水平度、曲がりなどを修正する、所謂建て入れ直しが行われる。建て入れ直しの方法として、従来、柱や梁にワイヤロープを巻きつけて、レバーブロック（登録商標）等によりワイヤロープを緊張させることで鉄骨柱の鉛直精度を所定の精度に収めることが行われてきた。
【０００７】
建て入れ直しに用いられるワイヤロープ等は、端部に設けられたフックを基礎又は土間に埋め込まれたオメガ状又はリング状の鉄筋（オメガ筋）に引掛けることにより取り付けられる。基礎又は土間に埋め込まれたオメガ筋は、建て入れ直しの後、不要になるが、そのまま残存させると内装や外装の納まりに影響を与える。そのため、使用後はオメガ筋を切断する必要があるが、その切断作業の業務負荷が大きいことが課題となっていた。
【０００８】
本発明は上記の課題に鑑みてなされたものであって、その目的は、例えば倒壊防止治具又はワイヤロープ等を引掛けるオメガ筋に代わる治具を、安価かつ簡易な構成で着脱可能に土間に設置可能なアンカ部材を提供することにある。
【課題を解決するための手段】
【０００９】
前記課題は、土間に埋め込まれ、治具を着脱可能に固定するアンカ部材であって、上端側の開口が土間の表面に露出する状態で縦向けに埋設される複数の高ナットと、前記複数の高ナットの下端側に螺入される第一ボルトと、前記複数の高ナットの上端側に螺入される第二ボルトと、前記複数の高ナットを並列させた状態で連結するよう、前記複数の高ナットの下端側において前記第一ボルトにより固定される第一プレートと、前記複数の高ナットを連結するとともに、前記複数の高ナットの上端側において前記第二ボルトにより着脱可能に固定される第二プレートと、を有するアンカ部材によって解決される。
【００１０】
高ナットの上端側の開口が土間の表面に露出する状態で、高ナットを土間に埋設するため、例えば倒壊防止治具等の治具を、ボルトを利用して着脱可能に土間に設置することができる。また、第一プレート及び第二プレートにより、高ナットの間隔があらかじめ一定に維持されることから、土間に設置するときに高ナット間の間隔を調整する必要がない。また、高ナットを下端側で連結する第一プレートが土間に埋設されるため、土間コンクリートが硬化した後、高ナットは土間から抜けにくくなり、単に高ナットを埋めた場合よりも治具を強固に固定することができる。
【００１１】
また、上記のアンカ部材において、前記高ナットと前記第一プレートとの間に設けられ、前記第一プレートに前記第一ボルトを固定するための固定用ナットを備え、前記第一ボルトに前記高ナットを螺入する長さにより、前記第一ボルトの頭部から前記第二プレートまでの高さを調整してもよい。
第一ボルトを高ナットに螺入する長さを変更して、第一プレートから第二プレートまでの高さを調整することで、さまざまな土間厚に対応してアンカ部材を埋設することができる。
【００１２】
また、上記のアンカ部材において、前記第二プレートの上面に目印が付けられていてもよい。
第二プレートの上面に目印をつけることにより、作業中、アンカ部材の上下を間違えることなく、アンカ部材を土間に設置することができる。
【００１３】
また、上記課題は、前記アンカ部材を用いて治具を土間に設置する設置方法であって、土間コンクリートを打設した後、硬化前に、前記高ナットの上端側の開口が土間の表面に露出させた状態で前記アンカ部材を土間コンクリートに埋め込むことと、土間コンクリートが硬化した後、土間の表面に露出した前記アンカ部材の上端側の開口を利用して治具を取り付けることと、を含む設置方法により解決される。
土間コンクリートを打設した後、硬化前にアンカ部材を土間コンクリートに埋め込むことでアンカ部材を容易に設置することができる。また、土間コンクリートが硬化した後はアンカ部材が強固に固定されるため、治具を土間の表面に露出した開口を利用して取り付けることができる。
【発明の効果】
【００１４】
本発明に係るアンカ部材によれば、治具を安価かつ簡易な構成で着脱可能に土間に設置することができる。
【図面の簡単な説明】
【００１５】
【図１】本発明に係る土間アンカ（アンカ部材）の斜視図である。
【図２】本発明に係る土間アンカの分解斜視図である。
【図３】土間に埋設された土間アンカを示す側面図であり、土間アンカの高さが変更された状態を点線で示す側面図である。
【図４】建て入れ調整用治具及び土間アンカを示す分解斜視図である。
【図５】土間アンカに建て入れ調整用治具を取り付けた状況を示す三面図であり、（ａ）は平面図、（ｂ）は正面図、（ｃ）は側面図である。
【図６】建て入れ調整用治具の使用状態を示す斜視図である。
【図７】倒壊防止治具及び土間アンカを示す分解斜視図である。
【図８】土間アンカに倒壊防止治具を固定した状態を示す斜視図である。
【図９】土間アンカを設置するための設置用治具を示す斜視図である。
【図１０】土間アンカを引掛けた状態の設置用治具を示す斜視図である。
【発明を実施するための形態】
【００１６】
以下、図１〜図１０に基づき、本発明の一実施形態（以下、本実施形態）について説明する。以下の実施形態において同一又は類似の構成要素には共通の参照符号を付して示し、理解を容易にするために、これら図面は縮尺を適宜変更している。
【００１７】
図１は、本実施形態の土間アンカ２０（アンカ部材の一例）を示す斜視図であり、図２は土間アンカ２０の分解斜視図である。図３は土間２０２に埋め込まれた状態の土間アンカ２０を示す図である。土間アンカ２０は土間に埋め込まれる部材であり、土間に固定された後は、土間アンカ２０の高ナット２１の開口（雌ネジ）を用いて治具を着脱可能に固定することができる。
【００１８】
土間アンカ２０は、並列する二つの高ナット２１，２１と、高ナット２１の下端側の雌ネジ２１ａに螺入される固定用ボルト２４（第一ボルト）と、高ナット２１の上端側の雌ネジ２１ｂに螺入される取付用ボルト２６（第二ボルト）と、二つの高ナット２１を並列させた状態で連結する第一プレート２２及び第二プレート２３とを備える。
【００１９】
第一プレート２２は、高ナット２１の下端側において固定用ボルト２４により固定される。第二プレート２３は、高ナット２１の上端側において取付用ボルト２６により着脱可能に固定される。第一プレート２２と第二プレート２３により、二つの高ナット２１，２１は、所定の間隔をあけて並列した状態が維持されるようになる。二つの高ナット２１，２１は、上端側の開口（より具体的には雌ネジ２１ｂ）を土間の表面に露出された状態で、縦向けに埋設される。第一プレート２２には固定用ボルト２４のネジ部を通すボルト孔２２ａ，２２ａが、第二プレート２３には取付用ボルト２６のネジ部を通すボルト孔２３ａ，２３ａが所定の間隔をあけて形成されている。
【００２０】
また、土間アンカ２０は、その上下が明確になるよう第二プレート２３の表面に目印２７が付けられている。本実施形態の土間アンカ２０では第二プレートの表面に「ウエ」と表記されている。作業者は第二プレートの表面の目印を確認して土間に土間アンカ２０を配置する。
【００２１】
本実施形態の土間アンカ２０は、高ナット２１と第一プレート２２との間に固定用ナット２５を備える。固定用ボルト２４を固定用ナット２５により第一プレート２２に固定する。固定用ボルト２４を第一プレート２２に固定することで、高ナット２１に螺入される固定用ボルト２４の長さを変更することにより、固定用ボルト２４の頭部２４ａから第二プレート２３までの高さＬを設定することができる。それにより、例えば図３に示すよう、第二プレート２３までの高さＬ、言い換えれば高ナット２１の上端側の開口の位置を調整することができる。土間アンカ２０を埋設する際、土間アンカ２０の下端側（固定用ボルト２４の頭部）は基礎（土間底面２０４）に接地していたほうが望ましく第二プレート２３の高さＬを調整することにより、様々な土間厚ＤＴを有する土間に、土間アンカ２０を設置することができるようになる。
【００２２】
例えば、図３に示すように、土間厚の大きさＤＴ１、ＤＴ２に合わせて、高ナット２１と固定用ボルト２４との距離を調整して、第二プレート２３の高さＬを設定する。二つの高ナット２１，２１が第一プレート２２により固定された状態で、土間２０２に埋め込まれることから、埋設した後、土間アンカ２０は上方に抜けにくくなる。
【００２３】
なお、土間厚の大きさが一定の値に決まっていて、高さＬを変更しない場合は、固定用ナット２５を省略して高ナット２１の下端側に直接第一プレート２２を固定用ボルト２４により固定してもよい。また、第一プレート２２に高ナット２１の下端部を溶接により固定してもよい。固定用ボルト２４の雄ネジ部を第一プレート２２に溶接してもよい。
【００２４】
土間アンカ２０は、土間コンクリートを打設した後、土間コンクリートが硬化する前に、埋め込まれる。この時、土間厚を調べた後、高ナット２１の上端側の開口が土間２０２の表面２０３に露出する土間アンカ２０の高さＬを調整しておく。
【００２５】
土間コンクリートが硬化した後、例えば図２に示すように、取付用ボルト２６を高ナット２１から外して、第二プレート２３を取り外す。その後、例えば図４に示すように、治具のベース部に形成されたボルト孔１３を、高ナット２１の開口に合わせ、取付用ボルト２６を螺合することにより、治具を固定する。
【００２６】
図４〜図５（ｃ）に、土間アンカ２０に取り付けられる建て入れ調整用治具１０を示す。また、図６に建て入れ調整用治具１０の使用状態を示す。建て入れ調整用治具１０は、建て入れ作業の際に用いられる治具であり、例えば梁１０４，１０５の下面から土間２０２まで斜め方向に延びるワイヤロープ１０６を土間側に取り付けるための治具である。
【００２７】
建て入れ調整用治具１０は、図４に示すように平板状のベース部１１と、ベース部１１の上面に立設するリング部１２とを備える。リング部１２に形成された貫通孔１２ａにワイヤロープ１０６のフック１０７を通すことにより、ワイヤロープ１０６が建て入れ調整用治具１０に取り付けられる。ベース部１１には、図４に示すように土間アンカ２０とボルト接合するためのボルト孔１３が所定の間隔（土間アンカ２０の高ナット２１と同じ間隔）をあけて形成されている。
【００２８】
建て入れ調整用治具１０は、ボルト孔１３に取付用ボルト２６を通して、高ナット２１とボルト接合することにより、土間アンカ２０に着脱可能に固定される。作業者は、建て入れ調整用治具１０のリング部１２の平面方向がワイヤロープ１０６の延びる方向になることを考慮して、土間アンカ２０を土間２０２に設置する。
【００２９】
図６に示すように、建て入れ調整用治具１０と、ワイヤロープ１０６により、三本の柱１０１、１０２とそれらを支持する梁１０４，１０５の建て入れ調整が行われる。柱１０２に接続する梁１０４，１０５の端部の下面に取付用リング４０が設けられる。
【００３０】
ワイヤロープ１０６は、取付用リング４０から、柱１０１、１０３の根本付近に固定された建て入れ調整用治具１０まで張られる。ワイヤロープ１０６のレバーブロック（登録商標）１０８により、柱１０２及び梁１０４、１０５の傾き等が調整される。建て入れ調整後は、土間アンカ２０から建て入れ調整用治具１０が取り外される。土間アンカ２０は、高ナット２１の開口が露出しているのみであり、高ナット２１の本体や第一プレート２２は埋設されているため内装や外装の納まりに影響を与えることはない。従来、ワイヤロープ１０６を引掛けるためにオメガ筋を設け、建て入れ調整後はオメガ筋を切断していたが、その作業を実施する必要がなくなる。
【００３１】
土間に埋設される土間アンカ２０は、建て入れ調整のためだけでなく、例えば図７及び図８に示す足場等を建物の内側から支持する足場内側控え５０を固定するために利用することもできる。従来、足場内側控え５０は、躯体用のアンカに接合されるか、基礎２０１にホールインアンカを形成して接合されていた。しかしながら、躯体用のアンカに接合すると、建方開始時に躯体用のアンカから足場内側控え５０を取り外さなくてはならなかった。また、ホールインアンカは作製に時間と手間がかかるため施工時の負荷が大きい。
【００３２】
足場内側控え５０は、アーム部５１、クランプ５２、ベース部５３、固定クランプ５４と、を有して構成されている。アーム部５１は、ベース部５３に回動可能に取り付けられるベース取付部５６と、単管Ｐを取り付ける単管取付部５７とを有する。単管取付部５７には、単管Ｐを保持するクランプ５２と固定クランプ５４が取り付けられる。
ベース部５３は、略矩形平板状の支持部５９と、支持部５９の上面から垂直に起立する平板状のアーム取付部５８とを有して構成される。支持部５９には複数のボルト孔５９ａが形成され、図７に示すように、ボルト孔５９ａを高ナット２１の開口に合わせ、取付用ボルト２６をボルト孔５９ａに通す。そして、取付用ボルト２６を高ナット２１に螺合することにより、足場内側控え５０を土間アンカ２０に固定する。このとき、図７に示すように、第二プレート２３をワッシャとして取付用ボルト２６と支持部５９との間に配置してもよい。
【００３３】
土間２０２を施工する際、土間コンクリートが硬化する前に土間アンカ２０を埋めておくことにより、比較的手間をかけることなく、足場内側控え５０を固定することができる。
【００３４】
土間アンカ２０を設置するための設置用治具６０について、図９及び図１０を用いて説明する。土間アンカ２０は、土間コンクリートを打設した後、土間コンクリートが硬化する前に設置するものであるが、土間アンカ２０を設置する場所が土間周辺の基礎から離れている場合、作業員が土間に入って設置しなくてはならない。しかしながら、土間コンクリートが硬化する前に作業員が土間に入ると作業員の手が汚れたり、入った後土間コンクリートをならしたりしなくてはならない。そこで、図９及び図１０に示す設置用治具６０を用いて、土間周辺の基礎からも作業員が土間アンカ２０を設置することができるようにする。
【００３５】
設置用治具６０は、シャフト６１と、シャフト６１の先端に取り付けられた平板上の引掛け部６２とを備える。引掛け部６２は、土間アンカ２０の二つの高ナット２１，２１の間隔に合わせて、引掛け部６２の端部から二つのスリット６３，６３が形成されている。この二つのスリット６３，６３のそれぞれに、土間アンカ２０の高ナット２１に螺入された取付用ボルト２６のネジ部をスライドさせて挿入する。それにより、引掛け部６２に取付用ボルト２６の頭部が引掛かる。また、シャフト６１には引掛け部６２から所定距離離れたところに、所定の角度で曲げられた屈曲部６４がある。作業者はシャフト６１に設けられたグリップ６６を持って、土間アンカ２０を引掛け部６２に引掛け、土間上の所望の位置に土間アンカ２０を移動させる。
【００３６】
土間コンクリートに土間アンカ２０を埋設した後、引掛け部６２をスライドさせ、取付用ボルト２６の頭部から、設置用治具６０の引掛け部６２を取り外す。作業員は、土間周辺の基礎から手を汚すことなく、土間アンカ２０を土間に配置することができる。
【００３７】
上記実施形態では、主として本発明に係る土間アンカ２０（アンカ部材）に関して説明した。ただし、上記形態は、本発明の理解を容易に理解するための一例に過ぎず、本発明を限定するものではない。土間アンカ２０では二本の高ナット２１が設けられているが、高ナット２１は三本以上設けられてもよい。また、土間アンカ２０により固定される治具として、建て入れ調整用治具１０及び足場内側控え５０について説明したが、建て入れ調整用治具１０及び足場内側控え５０は一例であり、それ以外の治具を取り付けるために土間アンカ２０を用いてもよい。本発明は、その趣旨を逸脱することなく、変更、改良され得ると共に、本発明にはその等価物が含まれることはもちろんである。
【符号の説明】
【００３８】
１０    建て入れ調整用治具
１１    ベース部
１２    リング部
１３    ボルト孔
２０    土間アンカ（アンカ部材）
２１    高ナット
２１ａ    雌ネジ（開口）
２２    第一プレート
２３    第二プレート
２４    固定用ボルト（第一ボルト）
２４ａ    頭部
２５    固定用ナット
２６    取付用ボルト（第二ボルト）
２７    目印
４０    取付用リング
５０    足場内側控え（倒壊防止用治具）
５１    アーム部
５２    クランプ
５３    ベース部
５４    固定クランプ
５６    ベース取付部
５７    単管取付部
５８    アーム取付部
５９    支持部
６０    設置用治具
６１    シャフト
６２    引掛け部
６３    スリット
６４    屈曲部
６６    グリップ
１０１〜１０３    柱
１０４、１０５    梁
１０６    ワイヤロープ
１０７    フック
１０８    レバーブロック（登録商標）
２０１    基礎
２０２    土間
２０３    土間表面
２０４    土間底面
ＤＴ１、ＤＴ２    土間厚
【図１】
2020165232.tif 000003
【図２】
2020165232.tif 000004
【図３】
2020165232.tif 000005
【図４】
2020165232.tif 000006
【図５】
2020165232.tif 000007
【図６】
2020165232.tif 000008
【図７】
2020165232.tif 000009
【図８】
2020165232.tif 000010
【図９】
2020165232.tif 000011
【図１０】
2020165232.tif 000012